(57)【特許請求の範囲】
【請求項１】
電線が挿入される電線挿入口を備えるハウジングと、電線挿入口を通してハウジングに導入された電線に弾接して鎖錠する鎖錠片と、ハウジングの周壁のうち電線挿入口の開口面を形成した第１の周壁とは交差する第２の周壁に配置され外力を受けて鎖錠片による電線の鎖錠状態を解除させる解除釦とを備え、解除釦は、解除釦を配置したハウジングの第２の周壁の外側面から突出し解除釦に外力を作用させる解除操作部と、一端部に解除操作部が設けられるとともに電線挿入口寄りである他端部がハウジングに一体に連続する可撓片とを備え、可撓片の前記他端部は解除釦を配置したハウジングの第２の周壁の前記外側面に対して段差の生じないように連続することを特徴とする端子装置。
【請求項２】
前記解除操作部を押操作する解除具に当接して解除操作部の押量を規制するストッパをハウジングに設けたことを特徴とする請求項１記載の端子装置。
【請求項３】
前記ストッパはハウジングにおいて解除操作部の側方に形成され解除具の一部が挿入される凹所であって、凹所の底面に解除具が当接することにより解除操作部の押量が規制されることを特徴とする請求項２記載の端子装置。
【発明の詳細な説明】
【０００１】
【発明の属する技術分野】
本発明は、電線に弾接して鎖錠する鎖錠片を用いた端子装置に関するものである。
【０００２】
【従来の技術】
従来より、電線に弾接して鎖錠する鎖錠片をハウジング内に収納し、ハウジングに設けた電線挿入口から挿入される電線を鎖錠片に接続するようにした端子装置が提供されている。この種の端子装置としては、たとえば、実開昭６２−１２６０６８号公報に記載のものがある。この公報に記載の端子装置は、図１０に示すように、電線をハウジング１に挿入する電線挿入口２４と、電線の鎖錠状態を解除するための解除釦を操作する操作孔２５’とが、ハウジング１における同じ面に形成されているものであって、かつ２つの電線挿入口２４に１つの解除釦が対応するように設けられている。つまり、１つの解除釦を押操作することによって２本の電線の鎖錠状態を同時に解除できるようになっている。
【０００３】
このような構成の端子装置では、１つの解除釦に対応する２つの電線挿入口２４のうちの一方に電線が挿入された状態で、他方の電線挿入口２４に電線を挿入するときに、電線を誤って操作孔２５’に挿入し上記一方の電線の鎖錠状態を解除してしまうことがある。
【０００４】
また、図１１に示す実開昭６３−４６１号公報に記載の端子装置のように、ハウジング１において電線挿入口２４が開口する面とは直交する面に鎖錠片と電線との鎖錠状態を解除するための解除釦２５を設けたものがあり、上述した従来構成のように操作孔２５’に電線を誤って挿入することはないが、電線挿入口２４に電線を挿入する際に解除釦２５に指が触れるなどして先に鎖錠されている電線の鎖錠状態が解除されるおそれがある。
【０００５】
上述の構成のほか、図１２に示す特開平５−２０５７９７号公報に記載の端子装置のように、ハウジング１において電線挿入口２４が開口する面とは直交する面に鎖錠片と電線との鎖錠状態を解除するための解除釦２５をハウジング１と一体に設けたものもある。この解除釦２５は電線の挿入方向に延長された細長形状であって、電線の先端側がハウジング１に連続する固定端となり電線挿入口２４が開口するハウジング１の一面に近い側が自由端になっている。
【０００６】
【発明が解決しようとする課題】
ところで、上述のように解除釦２５が細長形状であるときに、自由端はハウジング１に対して分離されているものであるから、自由端の寸法精度は比較的低くなり、また周囲温度が高くなったときに熱変形しやすくなる。つまり、寸法のばらつきや熱変形によって、ハウジング１の表面から突出する可能性がある。このように、電線挿入口２４に近い部位でハウジング１の表面から突出すると、図１１に示した従来構成と同様に、電線挿入口２４に電線を挿入する際に誤って解除釦２５を押してしまい、すでに接続されている電線の鎖錠状態が解除されることがある。
【０００７】
本発明は上記事由に鑑みて為されたものであり、その目的は、電線挿入口に電線を挿入する際に誤って解除釦を押す可能性を低減した端子装置を提供することにある。
【０００８】
【課題を解決するための手段】
請求項１の発明は、電線が挿入される電線挿入口を備えるハウジングと、電線挿入口を通してハウジングに導入された電線に弾接して鎖錠する鎖錠片と、ハウジングの周壁のうち電線挿入口の開口面を形成した第１の周壁とは交差する第２の周壁に配置され外力を受けて鎖錠片による電線の鎖錠状態を解除させる解除釦とを備え、解除釦は、解除釦を配置したハウジングの第２の周壁の外側面から突出し解除釦に外力を作用させる解除操作部と、一端部に解除操作部が設けられるとともに電線挿入口寄りである他端部がハウジングに一体に連続する可撓片とを備え、可撓片の前記他端部は解除釦を配置したハウジングの第２の周壁の前記外側面に対して段差が生じないように連続するものである。この構成によれば、ハウジングの周壁のうち解除釦を配置した第２の周壁の外側面と解除釦に設けた可撓片における電線挿入口に近い部位である前記他端部との間に段差が生じないから、電線挿入口に電線を挿入する際に誤って解除釦を押し込むことがなく、解除釦を複数本の電線の接続部に跨るように設けている場合でも、すでに接続した電線の鎖錠状態を誤って解除する可能性が少なくなる。
【０００９】
さらに、解除釦をハウジングの周壁に一体に設けていることにより、解除釦を別工程で製造する必要がなく、また別部品の解除釦を組み込む必要がないから、解除釦が小型であっても組立作業に支障がなく製造が容易になる。しかも、解除釦においてハウジングの周壁に一体に連続している部位は解除操作部よりも電線挿入口に近い側であって、ハウジングと連続一体に形成した解除釦には可撓性を持たせるために、結合部位から解除操作部までの距離を比較的大きくする必要があるから、結果的に電線挿入口から解除操作部までの距離が大きくなり、電線挿入口に電線を挿入する際に解除操作部を誤って操作する可能性を低減することができる。
【００１０】
請求項２の発明は、請求項１の発明において、前記解除操作部を押操作する解除具に当接して解除操作部の押量を規制するストッパをハウジングに設けたものである。この構成によれば、ストッパによって解除操作部の押量が規制されるから、解除釦を過剰に押し込むことで解除釦が破損したり鎖錠片が塑性変形してしまうという問題を回避することができる。
【００１１】
請求項３の発明は、請求項２の発明において、前記ストッパがハウジングにおいて解除操作部の側方に形成され解除具の一部が挿入される凹所であって、凹所の底面に解除具が当接することにより解除操作部の押量が規制されるものである。この構成によれば、解除具が凹所に挿入されることになって解除操作部を解除具で押し込む際に解除具を位置決めすることができ作業性が向上する。また、解除釦のストロークは凹所の底面までの範囲であるから、解除釦のストロークを視認することができる。
【００１３】
【発明の実施の形態】
図１および図２に示すように、ハウジング１は、一面（図１の上面）が開放されたボディ１０と、一面（図１の下面）が開放されボディ１０の開口側からボディ１０の周壁外周を囲む形に覆着されるカバー２０とを結合して形成される。ボディ１０の周壁外側面には４箇所に組立爪１１が突設され、カバー２０の周壁には各組立爪１１にそれぞれ嵌合する組立孔２１が形成される。したがって、組立爪１１を組立孔２１に嵌合させることにより、ボディ１０とカバー２０とが結合される。ハウジング１には２組の電源端子台２，３と１組の負荷端子台４とが順に配列されている。２組の電源端子台２，３のうちの一方は電源からの電線を接続するために設けられ、他方は送り配線用の電線を接続するために設けられている。通常は電源端子台２に電源線を接続し、電源端子台３に送り配線用の電線を接続する。
【００１４】
ボディ１０は長方形の一つの角部を矩形状に切欠した形状の底面を有する薄箱状に形成されている。つまり、ボディ１０は直方体の一面に突部を突設した形状に形成されており、この突部が負荷端子台４になる。ボディ１０の内部空間は長手方向（負荷端子台４の突出方向）に延長された２枚の仕切壁１２ａ，１２ｂによって３つの収納室１３ａ〜１３ｃに仕切られている。一方の仕切壁１２ａはボディ１０の幅方向において負荷端子台４を突設している側と残りの側とを仕切るように設けられ、他方の仕切壁１２ｂは負荷端子台４を突設している側の内部空間を幅方向において２分するように設けられている。つまり、仕切壁１２ａとボディ１０の周壁とに囲まれる収納室１３ａと、両仕切壁１２ａ，１２ｂの間の収納室１３ｂと、仕切壁１２ｂとボディ１０の周壁とに囲まれる収納室１３ｃとが形成される。収納室１３ｂ，１３ｃには、ボディ１０の長手方向において負荷端子台４に対応する部位と残りの部位とを仕切る仕切台１４も設けられている。
【００１５】
カバー２０はボディ１０の周壁に沿った周壁を有し、カバー２０においてボディ１０の開口部位を覆う底板には、各電源端子台２，３に対応する部位でそれぞれ端子台部２３が形成されている。各端子台部２３は、負荷端子台４から離れる向きにおいて突出量が多くなるように傾斜した傾斜面２３ａと、この傾斜面２３ａにおける負荷端子台４から遠いほうの一端縁に連続し負荷端子台４から離れる向きにおいて突出量が小さくなるように傾斜した導入面２３ｂとを有する。導入面２３ｂには、電線を挿入するための３個の電線挿入口２４が開口する。また、傾斜面２３ａには後述する解除釦２５が連続一体に形成されている。
【００１６】
カバー２０の長手方向の両端の外側面には、図２に示すように、ボディ１０との結合時にボディ１０の底面よりも突出する取付脚２６がそれぞれ設けられる。ここに、一方の取付脚２６は負荷端端子台４の先端面に設けられ、他方の取付脚２６はハウジング１の幅方向において負荷端子台４を設けていない側に設けられており、両取付脚２６の距離が可及的に大きくなるようにしてある。各取付脚２６はそれぞれ先端ほど互いの距離を小さくするように形成された一対の脚片２７を備え、各脚片２７の先端部には互いの距離を大きくする向きおよびカバー２０から離れる向きに突出するフック２７ａが形成されている。各一対の脚片２７に設けた両フック２７ａの外側面は先端側ほど互いの距離を小さくするようにボディ１０の底面に対して傾斜している。ボディ１０の底面にはボス１０ａが突設される。
【００１７】
ハウジング１には、負荷端子台４の先端面に２個の電線挿入口１５が開口する。また、カバー２０の底板において負荷端子台４に対応する部位には、突台２９が突設され、突台２９には先端面に開口する解除孔２９ａが形成される。解除孔２９ａの機能については後述する。
【００１８】
ところで、図１のように、ボディ１０に設けた収納室１３ａには接地用導体３１が収納され、収納室１３ｂ，１３ｃにはそれぞれ電圧用導体３２が収納される。電圧用導体３２は接地用導体３１に負荷接続片３３を設けた形状を有し、負荷接続片３３を除いた部分は接地用導体３１と略同形状になる。ただし、各収納室１３ｂ，１３ｃに配置される電圧用導体３２は、ボディ１０の幅方向における左右が逆になっている。つまり、両電圧用導体３２は仕切壁１３ｂを対称面として略対称に形成されている。
【００１９】
しかして、接地用導体３１は、図３のように、ボディ１０の底面に沿って配置される帯板状の主片３５ａの長手方向の２箇所に端子部３４を設けたものであって、各端子部３４は、主片３５ａの側縁に２箇所で連続して主片３５ａに直交する側片３５ｂを有し、主片３５ａの長手方向における側片３５ｂの一端縁には主片３５ａおよび側片３５ｂに直交する基部片３５ｃが延設されている。基部片３５ｃには主片３５ａと反対側の端縁から先端側ほど主片３５ａとの距離を広げるように傾斜した鎖錠片３５ｄが延設される。図４に示すように、鎖錠片３５ｄの先端部は幅方向における一部が切欠されて鎖錠縁３５ｅが形成され、切欠されていない部位は主片３５ａ側に曲成されている。一方、側片３５ｂの先端縁であって基部片３５ｃから離れた部位には半円筒状であって基部片３５ｃに近付くほど主片３５ａとの距離を大きくするように中心軸の傾斜した案内片３５ｆが連続一体に設けられる。案内片３５ｆは内側面が主片３５ａ側を向いており、鎖錠片３５ｄの鎖錠縁３５ｅと案内片３５ｆとの間で電線を挟持することができるようになっている。さらに、主片３５ａの長手方向において側片３５ｂの中間部には主片３５ａの長手方向に沿った短冊状の開口が形成され、開口において主片３５ａから離れた一辺において基部片３５ｃ側の端部には主片３５ａに対向し鎖錠片３５ｄに沿う形で延長された接続片３５ｇが設けられる。接続片３５ｇは側片３５ｂとの連結部位を除いて基部片３５ｃから離れるほど主片３５ａとの距離を大きくするように傾斜する。また、接続片３５ｇの先端部には主片３５ａから離れる向きに凸となるように曲成された接続部３５ｈが形成されている。要するに、接続片３５ｇは側片３５ｂの一部を主片３５ａから切り離すとともに一部のみが側片３５ｂに連続するように短冊状に切り出して形成されている。ここにおいて、鎖錠片３５ｄの先端部は案内片３５ｆの内側面に接触し、接続片３５ｇの先端部は案内片３５ｆとの間に隙間を形成するように配置される。接地用導体３１の主片３５ａの長手方向の中間部には側片３５ｂとは反対向きに折曲された接地片３６も設けられており、接地片３６はボディ１０の周壁に設けた切欠溝１０ａを通してボディ１０の裏面側に突出する。
【００２０】
一方、電圧用導体３２は上述のように負荷接続片３３を除いた部分は接地用導体３１と略同形状になっているが、電圧用導体３２には接地片３６は設けられていない。また、両電圧用導体３２は幅方向においては互いに面対称であって、両電圧用導体３２の案内片３５ｆの距離が大きくなる位置関係に配置される。負荷接続片３３は、電圧用導体３２の主片３５ａにおいて基部片３５ｃと反対側の一端縁に連続しており、主片３５ａに対して側片３５ｂと同じ側に延長された立上片３３ａを有し、立上片３３ａの先端縁に主片３１ａと略平行かつ主片３１ａから離れる向きに延長された端子片３３ｂを備える。端子片３３ｂの先端縁からは立上片３３ａに対向する向きに導入片３３ｃが延長され、導入片３３ｃの先端には導入片３３ｃに沿って立上片３３ａ側に略Ｓ字形の鎖錠片３３ｄが連続して設けられる。導入片３３ｃには図示しない導入孔が形成され、導入孔を通して端子片３３ｂと鎖錠片３３ｄとの間に電線を挿入すると、端子片３３ｂと鎖錠片３３ｄの先端縁との間で電線が抜け止めされた状態で保持されるようになっている。
【００２１】
しかして、接地用導体３１および電圧用導体３２をボディ１０に収納し、ボディ１０にカバー２０を覆着すると、図３のように端子台部２３における傾斜面２３ａに対応する部位の内側面に沿う形で案内片３５ｆが配置される。ここに、接地用導体３１および電圧用導体３２は、主片３５ａの長手方向の中央部の一方の側縁に位置決め凹所３５ｉを有し、ボディ１０の仕切壁１２ａ，１２ｂに設けた位置決め突起１２ｃに位置決め凹所３５ｉが係合することによって，接地用導体３１と電圧用導体３２とのボディ１０に対する位置合わせが容易になっている。また、カバー２０の内周面には主片３５ａの長手方向の中間部において両端子部３４間に挿入される押さえ片２０ａが設けられ、押さえ片２０ａの先端面とボディ１０との間に主片３５ａが挟まれ、ハウジング１内での接地用導体３１および電圧用導体３２のがたつきが防止される。このようにハウジング１に接地用導体３１と電圧用導体３２とが収納された状態では、電線挿入口２４の中心軸Ｃは、鎖錠片３３ｄに交差しかつ接続片３５ｇの先端部である接続部３５ｈにほぼ接する位置関係になる。
【００２２】
したがって、図６のように電線挿入口２４にＶＶＦケーブルなどの電線３７を導入すると、図５のように電線３７の先端部に接続部３５ｈが電気的に接触し、かつ電線３７に鎖錠片３５ｄの鎖錠縁３５ｅが食い込んで抜け止めを行うことになる。ここにおいて、鎖錠片３５ｄの幅方向の一側では案内片３５ｆおよび側片３５ｂにより電線３７の位置ずれが防止され、他側では鎖錠縁３５ｅと残りの部位との段差によって電線３７の位置ずれが防止される。電線挿入口２４の周縁のうち端子台部２３の先端側の一部には傾斜面２３ａに跨る形で切欠された窓溝２４ａが形成される。窓溝２４ａは傾斜面２３ａと導入面２３ｂとに跨る部位において、傾斜面２３ａに沿った断面が矩形状となるように形成されている。電線挿入口２４は筒状に形成されており、電線挿入口２４が形成されている導入面２３ｂが傾斜していることによって、電線挿入口２４が内部まで見えやすくなっている。このことに加えて、上述のように窓溝２４ａを形成していることで、電線挿入口２４の内部を一層奥まで見ることが可能になる。その結果、電線３７を電線挿入口２４に導入する際に、電線３７が正しく導入されているか否かを視認しやすくなり、電線３７の結線作業が容易になるのである。
【００２３】
換言すれば、筒状に形成された電線挿入口２４において鎖錠片３５ｄ側の一端の開口面は電線挿入口２４の中心軸Ｃに直交しており、鎖錠片３５ｄから離れている他端の開口面は、少なくとも一部が電線挿入口２４の中心軸Ｃに対して直交せず、かつ電線挿入口２４に導入される電線３７の先端部が電線挿入口２４の深い位置まで見えるように形成されているのである。また、電線挿入口２４が筒状に形成されており、かつ窓溝２４ａが切欠状に形成されているから、電線３７を挿入する際に電線３７の左右の動きを窓溝２４ａの両側面で規制しながら導入することができ、電線３７の挿入作業が容易である。とくに、ＶＶＦケーブルのように複数本の固い電線３７をシースに入れたケーブルを用いるときには、結線時に他の電線３７と分けるために左右の力がかかることになり、左右の位置ずれが生じやすいが、上述のように電線３７が案内され、かつ視認しやすいから結線作業を容易に行うことができる。
【００２４】
しかも、電線挿入口２４の周部に切欠状の窓溝２４ａを形成しているだけであるから、大型化することがなく、また切欠しない場合よりも材料コストを低減できる可能性がある。とくに、窓溝２４ａは切欠状であるから、窓溝２４ａの底面を電線挿入口２４の鎖錠片３５ｄ側の開口面に平行にすることができ、電線３７の挿入方向に錯覚が生じないから、電線挿入口２４の上記開口面に略直交する方向に電線３７を挿入することができ、結線作業を容易に行うことができる。
【００２５】
なお、図３は照明器具などの器具本体５にハウジング１を取り付けた状態を示しており、器具本体５に適宜に貫設した取付孔にフック２７ａを挿入することによって、器具本体５にハウジング１の取付面（フック２７ａの突出する面）を当接させた形でハウジング１を器具本体５に取り付けることができる。器具本体５にはボス１０ａおよび接地片３６も挿入される。器具本体５が金属であれば接地片３６を器具本体５に接続することによって器具本体５の接地を容易に行うことができる。図示例では器具本体５に電線用貫通孔５ａが形成されており、電線用貫通孔５ａを通して導入された電線３７を電線挿入口２４に差し込むことによって、電線３７を接続する例を示している。
【００２６】
負荷端子台４では上述のようにハウジング１に形成された電線挿入口１５に負荷側の電線を挿入すると、端子片３３ｂと鎖錠片３３ｄとの間に電線が導入され、電線が鎖錠片３３ｄにより鎖錠されるのである。この鎖錠状態を解除するには解除孔２９ａに適宜の治具を挿入すればよい。
【００２７】
ところで、上述のように、端子台部２３の傾斜面２３ａには解除釦２５が設けられている。この解除釦２５は電線挿入口２４に挿入された電線３７の鎖錠状態を解除するために設けられたものであり、図１、図２に示すように、導入面２３ｂ側に一端が一体に連続した可撓片２５ａを有し、可撓片２５ａの先端部に釦状の解除操作部２５ｂが設けられている。傾斜面２３ａには解除釦２５の周囲を囲む囲み壁４１が形成されている。可撓片２５ａは一端部が傾斜面２３ａに対して段差の生じないように連続し、さらに可撓片２５ａの両側方では囲み壁４１の先端面と可撓片２５ａとの間に段差が生じないように囲み壁４１が形成されている。また、囲み壁４１において解除操作部２５ｂを囲む部位の先端面に対して、解除操作部２５ｂは若干突出している。つまり、解除操作部２５ｂは傾斜面２３ａに対して比較的大きく突出していることになる。囲み壁４１において解除操作部２５ｂを囲む部位には、可撓片２５ａの延長方向に直交する形でストッパとしての凹所４２が形成されている。凹所４２の底面は傾斜面２３ａよりも凹没しており、解除操作部２５ｂを跨ぐ凹所４２の幅はマイナスドライバのような解除具４３（図７、図８参照）の幅寸法に略一致するように設定されている。また、解除操作部２５ｂにも凹所４２に対応する部位に凹所２５ｃが形成されている。
【００２８】
解除釦２５における解除操作部２５ｂは、接地用導体３１と電圧用導体３２とにそれぞれ設けられている鎖錠片３５ｄの先端部において鎖錠縁３５ｅの形成されていない部位に当接可能であって、解除操作部２５ｂをハウジング１に押し込むと、鎖錠片３５ｄを案内片３５ｆから離れる向きに撓ませることができる。つまり、鎖錠片３５ｄと案内片３５ｆとの間に挟持された電線３７の鎖錠状態を解除して電線３７を引き抜くことができるようになる。各端子台部２３において解除釦２５は２個ずつ設けられており、一方の解除釦２５は接地用導体３１に対応するように形成され、他方の解除釦２５は２つの電圧用導体３２に跨るように形成されている。
【００２９】
しかして、解除釦２５と傾斜面２３ａとの連結部が解除操作部２５ｂよりも電線挿入口２４に近い側であって、かつ傾斜面２３ａとは段差なく連続し、さらには囲み壁４１の先端面を可撓部２５ａと略面一にしているから、電線３７を電線挿入口２４に挿入する際に、解除釦２５が押し込まれにくくなる。また、可撓片２５ａを電線挿入口２４に近い側から延長しているから、可撓片２５ａの撓み量を確保するために解除操作部２５ｂを電線挿入口２４から遠い部位に設けることになり、このことによっても結線作業時に解除釦２５が押し込まれる可能性を低減することができる。その結果、１つの解除釦２５によって同時に鎖錠状態が解除される２本の電線３７のうちの一方が接続されている状態で、他方の電線３７を接続する際に、解除釦２５を誤って押し込むことがなく、結線作業時にすでに接続されている電線３７の鎖錠状態を解除してしまうことがないのである。
【００３０】
また、図８のように、解除釦２５を解除具４３により押し込むときには、解除具４３を凹所２５ｃ，４２に挿入することで解除具４３が解除釦２５に対して位置ずれしないから、解除釦２５の操作が容易になる。しかも、解除具４３が凹所４２の底面に当接することによって解除釦２５の押し込み量が規制されるから、解除釦２５に過度の力が作用せず、かつ解除釦２５の押し込み量を視認することができる。さらにまた、解除釦２５はハウジング１と一体に設けられているから、別部品として解除釦２５を組み込む場合に比較すると工程が簡単になる。
【００３１】
なお、電線挿入口２４の鎖錠片３５ｄから離れた端部に第１の実施の形態のような窓溝２４ａを設けずに、図９に示すように、電線挿入口２４における鎖錠片３５ｄ側の端部の開口面とは異なる角度で導入面２３ｂを傾斜させることも可能である。つまり、ボディ１０の底面に対する導入面２３ｂの角度を第１の実施の形態よりも小さくしているのである。換言すれば、傾斜面２３ａと導入面２３ｂとを鈍角で交差させているのである。
【００３２】
このような構成では、電線挿入口２４において鎖錠片３５ｄから離れている端部の開口面が、電線挿入口２４の中心軸Ｃに対して傾斜し、窓溝２４ａを形成した場合と同様に、電線３７の挿入状態を電線挿入口２４の奥まで視認することが可能になる。つまり、電線３７が左右に振れないように電線挿入口２４に通して鎖錠片３５ｄに案内することができる。
【００３３】
【発明の効果】
請求項１の発明は、電線が挿入される電線挿入口を備えるハウジングと、電線挿入口を通してハウジングに導入された電線に弾接して鎖錠する鎖錠片と、ハウジングの周壁のうち電線挿入口の開口面を形成した第１の周壁とは交差する第２の周壁に配置され外力を受けて鎖錠片による電線の鎖錠状態を解除させる解除釦とを備え、解除釦は、解除釦を配置したハウジングの第２の周壁の外側面から突出し解除釦に外力を作用させる解除操作部と、一端部に解除操作部が設けられるとともに電線挿入口寄りである他端部がハウジングに一体に連続する可撓片とを備え、可撓片の前記他端部は解除釦を配置したハウジングの第２の周壁の前記外側面に対してとの間に段差が生じないように連続するものであり、ハウジングの周壁のうち解除釦を配置した第２の周壁の外側面と解除釦に設けた可撓片における電線挿入口に近い部位である前記他端部との間に段差が生じないから、電線挿入口に電線を挿入する際に誤って解除釦を押し込むことがなく、解除釦を複数本の電線の接続部に跨るように設けている場合でも、すでに接続した電線の鎖錠状態を誤って解除する可能性が少なくなるという利点がある。
【００３４】
さらに、解除釦をハウジングの周壁に一体に設けていることにより、解除釦を別工程で製造する必要がなく、また別部品の解除釦を組み込む必要がないから、解除釦が小型であっても組立作業に支障がなく製造が容易になるという利点がある。しかも、解除釦においてハウジングの周壁に一体に連続している部位は解除操作部よりも電線挿入口に近い側であって、ハウジングと連続一体に形成した解除釦には可撓性を持たせるために、結合部位から解除操作部までの距離を比較的大きくする必要があるから、結果的に電線挿入口から解除操作部までの距離が大きくなり、電線挿入口に電線を挿入する際に解除操作部を誤って操作する可能性を低減することができるという利点がある。
【００３５】
請求項２の発明は、請求項１の発明において、解除操作部を押操作する解除具に当接して解除操作部の押量を規制するストッパをハウジングに設けたものであり、ストッパによって解除操作部の押量が規制されるから、解除釦を過剰に押し込むことで解除釦が破損したり鎖錠片が塑性変形してしまうという問題を回避することができるという利点がある。
【００３６】
請求項３の発明は、請求項２の発明において、ストッパがハウジングにおいて解除操作部の側方に形成され解除具の一部が挿入される凹所であって、凹所の底面に解除具が当接することにより解除操作部の押量が規制されるものであり、解除具が凹所に挿入されることになって解除操作部を解除具で押し込む際に解除具を位置決めすることができ作業性が向上するという利点がある。また、解除釦のストロークは凹所の底面までの範囲であるから、解除釦のストロークを視認することができるという利点がある。
【図面の簡単な説明】
【図１】本発明の実施の形態を示す分解斜視図である。
【図２】同上を示し、（ａ）は平面図、（ｂ）は正面図、（ｃ）は下面図、（ｄ）は左側面図、（ｅ）は右側面図である。
【図３】同上の断面図である。
【図４】同上の要部斜視図である。
【図５】同上の要部斜視図である。
【図６】同上の一部切欠した斜視図である。
【図７】同上の要部断面図である。
【図８】（ａ）は図７におけるＡ−Ａ線断面図、（ｂ）は同上において解除釦を押し込んだ状態の断面図である。
【図９】本発明の他の構成を示す断面図である。
【図１０】従来例を示す斜視図である。
【図１１】他の従来例を示す斜視図である。
【図１２】別の従来例を示す斜視図である。
【符号の説明】
１  ハウジング
２４  電線挿入口
２４ａ  窓溝
２５  解除釦
２５ａ  可撓部
２５ｂ  解除操作部
３１  接地用導体
３２  電圧用導体
３５ｄ  鎖錠片
３５ｆ  案内片
３７  電線
４２  凹所
４３  解除具
【図１】
0003608419.tif 000002
【図２】
0003608419.tif 000003
【図３】
0003608419.tif 000004
【図４】
0003608419.tif 000005
【図５】
0003608419.tif 000006
【図６】
0003608419.tif 000007
【図７】
0003608419.tif 000008
【図８】
0003608419.tif 000009
【図９】
0003608419.tif 000010
【図１０】
0003608419.tif 000011
【図１１】
0003608419.tif 000012
【図１２】
0003608419.tif 000013